(57)【要約】【課題】  大引きを設けない構造においても容易に床面を水平にすることができ、床面の強度を適切なものとすることができる床構造を提供する。【解決手段】床構造は、上側からの操作により上下方向に移動可能に固定される高さ調整部と、前記高さ調整部に空転可能に保持される保持板とを有する床束と、前記基盤面から上方に距離を開けて、前記保持板に支持されるように敷き詰められる複数の床下地パネルと、を備え、前記床下地パネルは、矩形平板状のパネル本体と、互いに隣接する前記パネル本体のうち一方のパネル本体の外縁部に沿って当該パネル本体の裏面に予め固定され、且つ、他方のパネル本体の端縁部を載置可能な枠材と、を備えており、前記床下地パネルの隅部における前記枠材には、前記高さ調整部を操作可能な操作孔が設けられるとともに、前記パネル本体には、前記操作孔に整合する孔又は切り欠きが設けられる。【選択図】図１
2015168983.tif 000002
【特許請求の範囲】
【請求項１】
基盤面に固定されるベースと、前記ベース上に立設される支柱部と、前記支柱部に上側からの操作により上下方向に移動可能に固定される高さ調整部と、前記高さ調整部に空転可能に保持される保持板とを有する床束と、
前記基盤面から上方に距離を開けて、前記保持板に支持されるように敷き詰められる複数の床下地パネルと、を備える床構造であって、
前記床下地パネルは、矩形平板状のパネル本体と、互いに隣接する前記パネル本体のうち一方のパネル本体の外縁部に沿って当該パネル本体の裏面に予め固定され、且つ、他方のパネル本体の端縁部を載置可能な枠材と、を備えており、
前記床下地パネルの隅部における前記枠材には、前記高さ調整部を操作可能な操作孔が設けられるとともに、前記パネル本体には、前記操作孔に整合する孔又は切り欠きが設けられることを特徴とする床構造。
【請求項２】
前記パネル本体の裏面に少なくとも一方の対角線に沿って補強材が固定されることを特徴とする請求項１に記載の床構造。
【請求項３】
前記操作孔には前記支柱部の上部を覆う断熱キャップが挿入されることを特徴とする請求項１又は請求項２に記載の床構造。
【請求項４】
前記床束は、前記支柱部の前記保持板が保持されている高さよりも下方に設けられており、且つ、当該保持板の高さを調整可能な床下調整部を有することを特徴とする請求項１から請求項３のいずれかに記載の床構造。
【請求項５】
請求項１から請求項４のいずれかの床構造の施工方法であって、
４隅にそれぞれ前記床束を固定した前記床下地パネルを前記基盤面の周囲に設けられた外周囲基礎立ち上がりのいずれかの出隅部に配置し前記ベースを前記基盤面に固定する第一パネル配置工ステップと、
前記第一パネル配置ステップよりも後に施工される工程であり、一辺にのみ前記床下地パネルが隣接して既設されている位置に、当該既設された床下地パネルと隣接しない側の２隅に前記床束を固定した前記床下地パネルを配置して、前記ベースを前記基盤面に固定する工程を、順次繰り返す第二パネル配置ステップと、
前記第二パネル配置ステップよりも後、又は前記第二パネル配置ステップと並行して施工される工程であり、互いに隣り合う二辺に前記床下地パネルが隣接して既設されている位置に、当該既設された床下地パネルと隣接しない１隅に前記床束を固定した前記床下地パネルを配置して、前記ベースを前記基盤面に固定する工程を、順次繰り返す第三パネル配置ステップと、
前記第一パネル配置ステップ、前記第二パネル配置ステップ、及び前記第三パネル配置ステップの施工が完了した後に施工される工程であり、三以上の辺に前記床下地パネルが隣接して既設されている位置に、前記床束を固定しない前記床下地パネルを配置する第四パネル配置ステップと、
前記高さ調整部を操作することによって、前記第一パネル配置ステップ、前記第二パネル配置ステップ、前記第三パネル配置ステップ、及び前記第四パネル配置ステップを経て敷き詰められた前記床下地パネルの表面を水平な面一に調整する水平調整ステップと、を備えることを特徴とする床構造の施工方法。
【発明の詳細な説明】
【技術分野】
【０００１】
本発明は、基盤面に床束を立設し、その上に床下地パネルを固定して床面を形成する床構造及び当該床構造の施工方法に関する。
【背景技術】
【０００２】
従来より、住宅等の建築物において、土間コンクリートなどの基盤面上に複数の床束を配設し、これらの床束の上に大引きを水平に乗せて固定し、大引きの上に床パネルを施工する床構造が種々知られている（例えば、特許文献１及び特許文献２）。
【０００３】
このように床束の上に大引きを配置することで、床束に大引きを固定した後で、床パネルを施工する前に、水平器などで大引きの高さを水平に調整することができ、大引きの上に床パネルを敷き詰めるだけで水平な床を施工することができる。
【０００４】
また、別の従来技術としては、主に低床用の床束であって、コンクリート床に固定されるベース部に、外周にネジ溝が設けられた支柱部が空転自在に固定されるとともに、支柱部に床パネルを支持する支持板が螺着されており、支柱部の上端に支柱部を回転操作可能な溝又は穴が設けられた床束が提案されている（例えば特許文献３又は特許文献４）。
【０００５】
この技術によると、支柱部上端を回転操作することにより、支柱部が回転し、支柱部に螺着している支持板が上下に移動することになるので、床パネルを設置した後でも、ドライバーなどの工具を差し込むことが可能な孔さえ設けておけば、床パネルの高さを調整することができ、水平な床を施工することができる。
【先行技術文献】
【特許文献】
【０００６】
【特許文献１】特開２００２−１２１８８３号公報
【特許文献２】特開２０１０−２６５６４９号公報
【特許文献３】特開平７−６２７７８号公報
【特許文献４】特開平１０−２８０６４５号公報
【発明の概要】
【発明が解決しようとする課題】
【０００７】
しかし、上述の特許文献１及び２のような大引きを施工する従来技術においては、直接床下地パネルを施工するものに比べて、大引きを施工する工数が増加する問題がある。しかも大引きが床全体に同じ高さで配置されることになるので、床仕上材や床暖房などの必要から床下地パネルの一部を低く設置したい場合などに施工が困難となる。
【０００８】
一方、大引きを設けない場合には、床下地パネルの敷設後に、当該床下地パネルの高さを水平に調整する必要があるが、特許文献３及び４のような従来技術においては、支柱部自体が回転可能に構成されているので、床下地パネルの上から高さ調整はできるものの、上方から支柱部を回転不能に拘束することはできないので、床束のガタツキが生じやすい問題がある。また、大引きを設けないことによって床パネルの強度が不足する恐れがある。
【０００９】
そこで、本発明は、大引きを設けない構造においても容易に床面を水平にすることができ、床面の強度を適切なものとすることができる床構造を提供することを目的とする。
【課題を解決するための手段】
【００１０】
請求項１に記載の床構造は、基盤面に固定されるベースと、前記ベース上に立設される支柱部と、前記支柱部に上側からの操作により上下方向に移動可能に固定される高さ調整部と、前記高さ調整部に空転可能に保持される保持板とを有する床束と、前記基盤面から上方に距離を開けて、前記保持板に支持されるように敷き詰められる複数の床下地パネルと、を備える床構造であって、前記床下地パネルは、矩形平板状のパネル本体と、互いに隣接する前記パネル本体のうち一方のパネル本体の外縁部に沿って当該パネル本体の裏面に予め固定され、且つ、他方のパネル本体の端縁部を載置可能な枠材と、を備えており、前記床下地パネルの隅部における前記枠材には、前記高さ調整部を操作可能な操作孔が設けられるとともに、前記パネル本体には、前記操作孔に整合する孔又は切り欠きが設けられることを特徴としている。
【００１１】
請求項２に記載の床構造は、前記パネル本体の裏面に少なくとも一方の対角線に沿って補強材が固定されることを特徴としている。
【００１２】
請求項３に記載の床構造は、前記操作孔には前記支柱部の上部を覆う断熱キャップが挿入されることを特徴としている。
【００１３】
請求項４に記載の床構造は、前記床束は、前記支柱部の前記保持板が保持されている高さよりも下方に設けられており、且つ、当該保持板の高さを調整可能な床下調整部を有することを特徴としている。
【００１４】
請求項５に記載の床構造の施工方法は、請求項１から請求項４のいずれかの床構造の施工方法であって、４隅にそれぞれ前記床束を固定した前記床下地パネルを前記基盤面の周囲に設けられた外周囲基礎立ち上がりのいずれかの出隅部に配置し前記ベースを前記基盤面に固定する第一パネル配置工ステップと、前記第一パネル配置ステップよりも後に施工される工程であり、一辺にのみ前記床下地パネルが隣接して既設されている位置に、当該既設された床下地パネルと隣接しない側の２隅に前記床束を固定した前記床下地パネルを配置して、前記ベースを前記基盤面に固定する工程を、順次繰り返す第二パネル配置ステップと、前記第二パネル配置ステップよりも後、又は前記第二パネル配置ステップと並行して施工される工程であり、互いに隣り合う二辺に前記床下地パネルが隣接して既設されている位置に、当該既設された床下地パネルと隣接しない１隅に前記床束を固定した前記床下地パネルを配置して、前記ベースを前記基盤面に固定する工程を、順次繰り返す第三パネル配置ステップと、前記第一パネル配置ステップ、前記第二パネル配置ステップ、及び前記第三パネル配置ステップの施工が完了した後に施工される工程であり、三以上の辺に前記床下地パネルが隣接して既設されている位置に、前記床束を固定しない前記床下地パネルを配置する第四パネル配置ステップと、前記高さ調整部を操作することによって、前記第一パネル配置ステップ、前記第二パネル配置ステップ、前記第三パネル配置ステップ、及び前記第四パネル配置ステップを経て敷き詰められた前記床下地パネルの表面を水平な面一に調整する水平調整ステップと、を備えることを特徴としている。
【発明の効果】
【００１５】
請求項１に記載の床構造によると、床束上に直接床下地パネルが敷き詰められるので、大引きを施工する工数を削減することができる。そして、床束が上側からの操作により上下方向に移動可能に固定される高さ調整部を備えているので、床束に床下地パネルを敷設後に、床下に潜り込むことなく、床下地パネルの操作孔に工具を挿入して操作することにより、床下地パネルの高さを調整することができるので、大引きを用いない床構造であっても、きわめて簡単に床下地パネルを水平に調整することができる。そして、床下地パネルは、互いに隣接するパネル本体のうち一方のパネル本体の外縁部に沿って当該パネル本体の裏面に予め固定され、且つ、他方のパネル本体の外縁部を載置可能な枠材を備えているので、枠材が互いに隣接するパネル本体の突合せた部分を補強することができ、大引きを用いない床構造であっても、床面の強度を適切なものとすることができる。
【００１６】
請求項２に記載の床構造によると、パネル本体の裏面に少なくとも一方の対角線に沿って補強材が固定されているので、パネル本体をさらに補強することができる。床束はパネル本体の４隅近傍に配置されることになるので、対角線に沿って補強することで、床束に直接支えられていないパネル本体の中央部をさらに補強することができる。
【００１７】
請求項３に記載の床構造によると、操作孔には支柱部の上部を覆う断熱キャップが挿入されているので、床構造の断熱性をより高めることができる。
【００１８】
請求項４に記載の床構造によると、床束は、保持板よりも下方に保持板の高さを調整可能な床下調整部を有するので、床下地パネルの上に床化粧材を貼付した後に、床束の高さを調整する必要があった場合にも、床化粧材を剥がすことなく、床下に潜り込む事で、高さ調整することができる。
【００１９】
請求項５に記載の床構造の施工方法によると、第一パネル配置ステップ、第二パネル配置ステップ、第三パネル配置ステップ、及び第四パネル配置ステップを経て床下地パネルが敷き詰められる。第一パネル配置ステップは、４隅にそれぞれ前記床束を固定した前記床下地パネルを前記基盤面のいずれかの出隅部に配置し前記ベースを前記基盤面に固定するものであり、第二パネル配置ステップは一辺側にのみ前記床下地パネルが隣接して既設されている位置に、当該既設された床下地パネルと隣接しない側の２隅に前記床束を固定した前記床下地パネルを配置して、前記ベースを前記基盤面に固定する工程を、順次繰り返すものであり、第三パネル配置ステップは互いに隣り合う二辺側に前記床下地パネルが隣接して既設されている位置に、当該既設された床下地パネルと隣接しない１隅に前記床束を固定した前記床下地パネルを配置して、前記ベースを前記基盤面に固定する工程を、順次繰り返すものであり、第四パネル配置ステップは、三以上の辺に前記床下地パネルが隣接して既設されている位置に、前記床束を固定しない前記床下地パネルを配置するものである。したがって、第一パネル配置ステップから第三パネル配置ステップまでの間は、未だ床下地パネルが配置されていない箇所から、工具などで基盤面に床束を固定することができ、最後の第四パネル配置ステップにより配置される床下地パネルは、床束が設けられていないので、床下地パネルを配置するだけで床下に潜ることなく施工することができる。そして、水平調整ステップにより、高さ調整部を操作することによって、敷き詰められた床下地パネルの表面を水平な面一に調整することができるので、床構造の施工をより容易にすることができる。
【図面の簡単な説明】
【００２０】
【図１】床構造の全体構成を示す斜視図。
【図２】床束の構成を説明する斜視図。
【図３】床束の構成を説明する断面図。
【図４】（Ａ）は保持ナット及び保持板を説明する斜視図、（Ｂ）はＩ−Ｉ断面図。
【図５】（Ａ）はロックナットの構成を説明する斜視図、（Ｂ）はその断面図。
【図６】上がり框、間仕切り壁、低床部などで、床下地パネルと基盤面との間の高さが短い場所に設置する床束を説明する斜視図。
【図７】床下地パネルの構成及び配置を説明するために、床下地パネル同士及び床下地パネルと基礎立ち上がりとの間にそれぞれ隙間が開いた状態で床下地パネルの配置を示す図。
【図８】（Ａ）は、第一床下地パネルの上面を示す斜視図、（Ｂ）は第一床下地パネルの下面を示す斜視図。
【図９】（Ａ）は、第二床下地パネルの上面を示す斜視図、（Ｂ）は第二床下地パネルの下面を示す斜視図。
【図１０】（Ａ）は、第三床下地パネルの上面を示す斜視図、（Ｂ）は第三床下地パネルの下面を示す斜視図。
【図１１】（Ａ）は、第四床下地パネルの上面を示す斜視図、（Ｂ）は第四床下地パネルの下面を示す斜視図。
【図１２】第一パネル配置ステップにおいて、第一床下地パネルに４本の床束を固定する状態を説明する斜視図。
【図１３】床下地パネルに床束を固定する状態を説明する断面図。
【図１４】第一パネル配置ステップにおいて、床束が固定された第一床下地パネルを基礎立ち上がりに出隅部に配置する状態を示す図。
【図１５】第二パネル配置ステップにおいて、床束が固定された第二床下地パネルを配置する状態を示す図。
【図１６】第三パネル配置ステップにおいて、床束が固定された第三床下地パネルを配置する状態を示す図。
【図１７】第四パネル配置ステップにおいて、第四床下地パネルを配置する状態を示す図。
【図１８】水平調整ステップの一例を説明する断面図。
【図１９】床構造の床束及び床下地パネルが固定されている部分を説明する断面図。
【発明を実施するための形態】
【００２１】
以下、本発明に係る床構造及び床構造の施工方法の最良の実施形態について各図を参照しつつ説明する。本実施形態の床構造１は、図１に示すように、住宅等の基盤面Ｆ上に設置され、鋼製の床束１１と、床束１１に支持される床下地パネル２とを備えるものである。なお、本発明において「基盤面」とは、例えば土間コンクリート、基礎スラブ、束石の上面などを含み、床束１１を設置する基盤となる面をいう。また、本発明の床束１１は鋼製束に限定するものではなく、合成樹脂製のいわゆるプラ束であってもよい。
【００２２】
まず、図２から図５を参照しつつ床束１１について説明する。床束１１は、基盤面Ｆに固定されるベース３と、ベース３上に立設される支柱部４と、支柱部４に上側からの操作により上下方向に移動可能に固定される高さ調整部５と、高さ調整部５に空転可能に保持される保持板６と、を有している。
【００２３】
ベース３は略矩形の平板状に形成されている。ベース３の４隅は切り欠かれており、床束１１を床下地パネル２に固定する際に、ベース３が工具に干渉することがなく、保持板６に対して垂直にビスを打つことができる。また、ベース３の４辺の中央はそれぞれＶ字に切り込まれており、このＶ字切り込み３３を目印にすることで、基盤面Ｆの墨出しした線に正確に床束１１を配置することができる。床束１１には、４箇所の貫通孔３１が設けられており、この貫通孔３１を通して基盤面Ｆに釘を打ち込んでベース３を固定する。ベース３の上面には、中央から放射状にリブ３２が設けられており、ベース３が補強されている。
【００２４】
ベース３の上面の中央には、支柱部４が立設されている。支柱部４は、ベース３の中央に固定されている左ネジの下ネジ部４１と、内周面にネジ溝が形成された筒状に形成されており、下部が下ネジ部４１に螺合するとともに、上部が後述する上ネジ部４２に螺合する円筒形状のターンバックル４３と、ターンバックル４３に上端から螺合する右ネジの上ネジ部４２とを有する。また、ターンバックル４３の中央にはターンバックル４３を水平方向に回転させるスパナが挟み込めるように外周面を４方向から平坦に窪ませて水平断面が略正方形になるようにした四面平坦部４４が設けられている。
【００２５】
ターンバックル４３の下端には、下ネジ部４１に螺合する下端固定ナット４５がバネ座金４７を介してターンバックル４３の下端に隣接しており、ターンバックル４３の上端には、上ネジ部４２に螺合する上端固定ナット４６がバネ座金４７を介してターンバックル４３の上端に隣接している。これら下端固定ナット４５及び上端固定ナット４６をターンバックル４３に接近する方向に締め付けることで、ターンバックル４３は回転しないように拘束される。
【００２６】
ターンバックル４３の操作により、床束の高さを変更する際には、まず、スパナレンチなどの工具で下端固定ナット４５及び上端固定ナット４６をターンバックル４３から離反する方向に回転させる。そして、ターンバックル４３の四面平坦部４４をスパナレンチなどの工具で挟持してターンバックル４３を回転させ、支柱部４の長さを調整する。次いで、下端固定ナット４５及び上端固定ナット４６をターンバックル４３に接近する方向に回転させて締め付け、ターンバックル４３を回転不能に拘束する。
【００２７】
本発明における「床下調整部」は、本実施形態においてはターンバックル４３がこれに相当する。なお、本発明における「床下調整部」は、ターンバックル４３に限定されるものではなく、支柱部４の長さを変化させることによって、保持板６の高さを変更することができるものであれば如何なる構成であってもよい。
【００２８】
高さ調整部５は、ターンバックル４３よりも上部において、支柱部４に螺合しており、自転により支柱部４に沿って上下方向に移動可能となっている。高さ調整部５は、図１８に示すように、プラグレンチＰを用いて上方から回転させる操作が可能である。高さ調整部５は、具体的には、支柱部４に回転可能に螺合する保持ナット５０と、保持ナット５０に外挿する皿バネ５７と、皿バネ５７を介して保持板６を押さえ、保持板６及び保持ナット５０を拘束するロックナット５１により構成されている。保持ナット５０は、図４に示すよう、下端側に支持部５２が設けられている。支持部５２は、水平方向に拡径したフランジが上下に配置された円筒形状であり、上下のフランジの間に保持板６が挟みこまれて空転自在に保持されている。また、保持ナット５０の上部には、六角ナット状のナット部５３が形成されている。保持ナット５０は鉛直方向に中央を貫通して、支柱部４の上ネジ部４２に螺合するネジ孔５４が設けられている。皿バネ５７は、保持ナット５０の上側のフランジの外周に外挿している。
【００２９】
ロックナット５１は、図５に示すように、上方から保持ナット５０を覆って、皿バネ５７に当接し、当該皿バネ５７を介して、保持板６及び保持ナット５０を拘束する袋部５５と、袋部５５の上側に設けられ前記支柱部４に螺嵌する操作部５６と、を有する。袋部５５は、保持ナット５０のナット部５３を内部空間に収納可能な大きさの円筒形状であり、袋部５５の下端が保持ナット５０の支持部５２の上側のフランジに当接する。操作部５６は、保持ナット５０のナット部５３と同じ大きさの六角ナット状に形成されており、支柱部４の上ネジ部４２に螺嵌している。
【００３０】
保持板６は、図４に示すように、中央に保持ナット５０に空転自在に支持される支持孔６１が設けられ、四隅に床下地パネル２に固定するための固定孔６２が設けられた矩形平板状である。
【００３１】
なお、上記した床束１１は、支柱部４の上下方向の中央にターンバックル４３が設けられており、必要な場合には、床下からも床束１１の高さを調整することができるものであるが、「床束」はこのような構成に限定されるものではない。例えば、上がり框や間仕切壁などのように、外周基礎の立ち上がりよりも低く基礎が立ち上がった部分に設置される場合や低床部に設置される場合の床束１１ｂは、図６に示すように、ターンバックル４３を設けることなく、高さを低くした床束１１ｂを用いることができる。この床束１１ｂは、ベース３、高さ調整部５、及び保持板６に関しては、上述の床束と同様の構成であり、支柱部４は、床の高さに応じて短く形成されている。
【００３２】
次に床下地パネル２の構成について、図７から図１１を参照しつつ説明する。なお、図７は、基礎立ち上がりＴに囲まれた空間の基盤面Ｆ上に９枚の床下地パネル２を配置する例を示しており、説明をわかりやすくするために、本来パネル本体２１の裏面に隠れている枠材２２及び補強材２６を点線で示している。なお、図７においては、図示の都合上、各床下地パネル２の間に隙間が設けられるとともに、基礎立ち上がりＴに囲まれた空間が大きく表されているが、本来は床下地パネル２は隙間なく敷き詰められるものであり、基礎立ち上がりＴに囲まれた空間は、隙間なく敷き詰められた床下地パネル２により上部が閉じられる大きさである。床下地パネル２は、基盤面Ｆから上方に距離を開けて、保持板６に支持されるように複数敷き詰められるものであって、矩形平板状のパネル本体２１の裏面に、枠材２２及び補強材２６が固定されている。床下地パネル２は、その配置される位置及び隣接する床下地パネル２との施工順に応じて、パネル本体２１の形状及び枠材２２の固定される位置が異なるので、以下説明する。
【００３３】
床下地パネル２は、図８から図１１に示すように、互いに隣接する床下地パネル２の突き合わせる辺のうち先に施工する床下地パネル２のパネル本体２１の裏面の縁部に沿って枠材２２を固定しており、枠材２２がパネル本体２１の縁部よりも水平方向にはみ出してフランジ状に配置されている。また、床下地パネル２のうち基礎立ち上がりＴに隣接する位置の床下地パネル２のパネル本体２１の裏面の縁部には、図７に示すように、基礎隣接部用の比較的幅の広い枠材２２が形成されており、一部が基礎立ち上がりＴの上にかかるように配置されるとともに、パネル本体２１の基礎立ち上がりＴ側に隣接する縁と枠材２２の基礎立ち上がりＴ側の縁とは上方から見た場合に略同じ位置となるように配置されている。また全ての床下地パネル２のパネル本体２１の裏面には一方の対角線に沿って補強材２６が設けられている。
【００３４】
互いに隣接する床下地パネル２の相互に突き合わせる辺のうち、後から施工する床下地パネル２のパネル本体２１の縁部には枠材２２が設けられておらず、先に施工した床下地パネル２の縁部からフランジ状にはみ出した枠材２２に後から施工される床下地パネル２のパネル本体２１の縁部が載置される。
【００３５】
床下地パネル２のうち最初に施工する床下地パネル２（以下、第一床下地パネル２ａという）は、図８に示すように、パネル本体２１裏面の４辺の縁部にそれぞれ枠材２２が固定されており、この枠材２２の各隅部に、床束１１の支柱部４の上端及び高さ調整部５を挿入可能な操作孔２３が設けられている。床下地パネル２のうち隣接する１方向にのみ既に床下地パネル２が施工されている状態で施工する床下地パネル２（以下、第二床下地パネル２ｂという）は、図９に示すように、パネル本体２１裏面の３辺の縁部にそれぞれ枠材２２が固定されている。すなわち、パネル本体２１の裏面にコ字状に枠材２２が固定されている。そして枠材２２が固定された辺同士が角を成す２つの隅部に操作孔２３が設けられている。
【００３６】
床下地パネル２のうち隣接する２方向に既に床下地パネル２が施工されている状態で施工する床下地パネル２（以下、第３床下地パネル２という）は、図１０に示すように、パネル本体２１の互いに隣り合う２辺の縁部にそれぞれ枠材２２が固定されている。そしてこの枠材２２が固定された２辺が角を成す１つの隅部に操作孔２３が設けられている。床下地パネル２のうち３方向に既に床下地パネル２が施工されている状態で施工する床下地パネル２（以下、第４床下地パネル２という）は、図１１に示すように、３方向を除く１方向に基礎立ち上がりＴが設けられる位置に配置される。第４床下地パネル２は、パネル本体２１の基礎立ち上がりＴ側の一辺の縁部にのみ枠材２２が固定される。枠材２２の両端はパネル本体２１よりも短くなっており、操作孔２３はもうけられていない。
【００３７】
床下地パネル２のパネル本体２１にはそれぞれ枠材２２の操作孔２３が設けられた位置に整合する位置に孔２４又は切り欠き２５が設けられている。具体的には、床下地パネル２の隅部であって、基礎立ち上がりＴの出隅部に隣接する位置に円形の孔２４が設けられている。また、基礎立ち上がりＴに隣接する位置の互いに隣接する床下地パネル２のパネル本体２１同士の突き合わされる縁部には半円形の切り欠き２５が設けられている。そして、４枚の床下地パネル２の角同士が突き合わされる位置のパネル本体２１には、それぞれ四分円の切り欠き２５が設けられている。
【００３８】
なお、図７において、円形の操作孔２３が示されている位置には、いずれも床束１１が固定される。したがって、第一床下地パネル２ａには４隅に、第二床下地パネル２ｂには２隅に、第三床下地パネル２ｃには１隅に操作孔２３が設けられており、第四床下地パネル２ｄには操作孔２３が設けられていない。
【００３９】
床構造１は、図１９に示すように、基盤面Ｆ上に立設した床束１１の支柱部４の上端及び高さ調整部５が床下地パネル２の枠材２２の操作孔２３に挿入された状態で、枠材２２を保持板６にビスで固定している。そして、枠材２２のパネル本体２１の縁部からフランジ状にはみ出した部分に、隣接する床下地パネル２のパネル本体２１の裏面の縁部が図示しない弾性接着剤によって固定されている。このように、大引きを用いない構成であっても、互いに隣接する床下地パネル２のパネル本体２１の縁部が床束１１に支持されている枠材２２の上に載置された状態で固定されるので床構造１が適正な強度を保つことができる。枠材２２の操作孔２３には、支柱部４の上端及び高さ調整部５を覆うように断熱キャップ７が設けられている。断熱キャップ７は変形可能な発砲樹脂製であり、操作孔２３よりも僅かに大きな上部が閉じられた円筒形状である。この断熱キャップ７により、床上の温度を床束１１に奪われることがなく、床構造１の断熱性を高めることができる。
【００４０】
次に以上のように構成される床束１１及び床下地パネル２を用いて床構造１を施工する床構造１の施工方法について説明する。床構造１の施工方法は、第一パネル配置ステップ、第二パネル配置ステップ、第三パネル配置ステップ、第四パネル配置ステップ、及び水平調整ステップを含んでいる。以下、各ステップごとに説明する。
【００４１】
第一パネル配置ステップでは、まず、図１２及び図１３に示すように、第一床下地パネル２ａを裏面が上方を向くように置いて、枠材２２の形成されている４隅にそれぞれ床束１１を配置する。具体的には、床束１１の支柱部４の上端及び高さ調整部５が枠材２２に形成されている操作孔２３に挿入されるように床束１１を配置する。そして、床束１１の保持板６に設けられている固定孔６２を通して枠材２２にビスを打ち込み、第一床下地パネル２ａの４隅に床束１１を固定する。
【００４２】
そして、図１４に示すように、予め墨打ちした基盤面Ｆ上における基礎立ち上がりＴの出隅部に床束１１を固定した第一床下地パネル２ａを配置し、床束１１のベース３に設けられている貫通孔３１を通して基盤面Ｆに釘を打ち込んでベース３を固定する。第一パネル配置ステップは少なくとも基礎立ち上がりＴの出隅部の１箇所に第一床下地パネル２ａを配置すればよいが、基盤面Ｆの形状や基礎立ち上がりＴの形状によっては２箇所以上に第一床下地パネル２ａを配置してもよい。
【００４３】
第二パネル配置ステップでは、図１５に示すように、既に設置されている床下地パネル２に一辺のみが隣接して配置される位置に第二床下地パネル２ｂを配置するステップである。第二パネル配置ステップでは、まず、第二床下地パネル２ｂの既設の床下地パネル２と隣接しない側の２隅における枠材２２に床束１１をそれぞれ固定する。床束１１を枠材２２に固定する詳細については、第一パネル配置ステップと同様であるので説明を省略する。そして、当該第二床下地パネル２ｂの床束１１が固定されていない側の辺を既設の床下地パネル２に隣接するように、第二床下地パネル２ｂを基盤面Ｆ上に配置する。このとき、第二床下地パネル２ｂのパネル本体２１の既設の床下地パネル２と隣接する縁部は、既設の床下地パネル２のフランジ状にはみ出した枠材２２に載置される。そして、床束１１のベース３に設けられている貫通孔３１を通して基盤面Ｆに釘を打ち込んでベース３を固定する。第二パネル配置ステップはこれらの工程を順次繰り返して必要な枚数の第二床下地パネル２ｂを固定する。
【００４４】
第三パネル配置ステップでは、図１６に示すように、互いに隣り合う二辺に隣接して床下地パネル２が既設されている位置に、第三床下地パネル２ｃを配置するステップである。第三パネル配置ステップでは、まず、第三床下地パネル２ｃの既設の床下地パネル２と隣接しない１隅に床束１１を固定する。床束１１を枠材２２に固定する詳細については、第一パネル配置ステップと同様であるので説明を省略する。そして、当該第三床下地パネル２ｃの床束１１が固定された隅部から離れる２辺がそれぞれ既設の床下地パネル２に隣接するように、第三床下地パネル２ｃを基盤面Ｆ上に配置する。このとき、第三床下地パネル２ｃのパネル本体２１の既設の床下地パネル２と隣接する縁部は、既設の床下地パネル２のフランジ状にはみ出した枠材２２に載置される。そして、床束１１のベース３に設けられている貫通孔３１を通して基盤面Ｆに釘を打ち込んでベース３を固定する。第三パネル配置ステップはこれらの工程を順次繰り返して必要な枚数の第三床下地パネル２ｃを固定する。
【００４５】
第二パネル配置ステップ及び第三パネル配置ステップの施工順は、まず第一パネル配置ステップにより第一床下地パネル２ａが施工された後、第一床下地パネル２ａの両側に隣接して第二床下地パネル２ｂが施工されるが、その後は、必ずしも第二床下地パネル２ｂが先に施工される必要があるわけではなく、基盤面Ｆの形状及び基礎立ち上がりＴの形状に応じて施工順序が選択される。
【００４６】
第二パネル配置ステップ及び第三パネル配置ステップは基盤面Ｆ上のパネル１枚分の空間を残して、床下地パネル２が敷き詰められるが、基礎立ち上がりＴの出隅部が最後に残らないような順序で施工される。すなわち、基礎立ち上がりＴの内側の基盤面Ｆが正方形又は長方形である場合であれば、第一床下地パネル２ａが施工される出隅部のほかの３箇所の出隅部が最後に残らないように施工される。
【００４７】
第四パネル配置ステップでは、図１７に示すように、三以上の辺に床下地パネル２が隣接して既設されている位置に、床束１１を固定しない第四床下地パネル２ｄを配置するステップである。第四パネル配置ステップでは、床束１１を固定しない第四床下地パネル２ｄの三辺が既設の床下地パネル２に隣接するように、第三床下地パネル２ｃを基盤面Ｆ上に配置する。このとき、第三床下地パネル２ｃのパネル本体２１の既設の床下地パネル２と隣接する縁部は、既設の床下地パネル２のフランジ状にはみ出した枠材２２に載置される。以上のように第一パネル配置ステップ、第二パネル配置ステップ、第三パネル配置ステップ、及び第四パネル配置ステップを経て、図１に示すように、基盤面Ｆから上方に距離を開けて床下地パネル２が敷き詰められる。
【００４８】
水平調整ステップは、高さ調整部５を操作することによって、敷き詰められている床下地パネル２の表面を水平な面一に調整する工程である。水平調整ステップでは、まず、図１８（Ａ）に示すように、床下地パネル２に設けられた操作孔２３にプラグレンチＰを挿入して、操作孔２３の内部において、支柱部４の上ネジ部４２に螺合しているロックナット５１の操作部５６を弛緩方向に回転させて、ロックナット５１を上ネジ部４２から取り外す。そして、図９（Ｂ）に示すように、さらにプラグレンチＰを用いて、上ネジ部４２に螺合している保持ナット５０のナット部５３を回転させて、保持ナット５０を上下方向に移動させる。保持ナット５０の支持部５２は保持板６を空転自在に保持しているので、保持ナット５０の回転によって保持ナット５０が上下方向に移動するのに伴い、保持板６も上下に移動し、保持板６に固定されている床下地パネル２も上下方向に移動する。
【００４９】
保持ナット５０を回転させることにより適切な高さに水平に床下地パネル２を調整した後、ロックナット５１を上ネジ部４２に螺合させて、プラグレンチＰでロックナット５１の操作部５６を締結方向に回転させて、ロックナット５１の袋部５５が保持ナット５０のナット部５３を覆うようにして、袋部５５の下端が皿バネ５７に当接し、皿バネ５７が保持板６に密着するまで締め付ける。このようにすると、ロックナット５１によって、保持板６及び保持ナット５０が回転不能に拘束されるので、床下地パネル２が水平に調整された状態で確実に固定される。
【００５０】
床下地パネル２が敷き詰められ、面一な水平に調整されると、図１９に示すように、断熱キャップ７を操作孔２３に挿入し、その後、化粧床材８を床下地パネル２上に貼り付けて、床構造１を完成させる。
【００５１】
このように、本実施形態の床構造１によると、床下地パネル２は枠材２２及び補強材２６により適切に補強することができ、また、床下地パネル２を設置後に操作孔２３からスパナを挿入することで水平レベルの調整ができるので、大引きを施工することなく、床構造１の施工を容易にすることができる。
【００５２】
なお、本発明の実施の形態は上述の形態に限ることなく、本発明の思想の範囲を逸脱しない範囲で適宜変更することができることは云うまでもない。
【産業上の利用可能性】
【００５３】
本発明に係る床構造１及び床構造の施工方法は、住宅の床構造及び住宅の床構造を施工する施工方法として好適に用いることができる。
【符号の説明】
【００５４】
１      床構造
２      床下地パネル
２ａ    第一床下地パネル
２ｂ    第二床下地パネル
２ｃ    第三床下地パネル
２ｄ    第四床下地パネル
３      ベース
４      支柱部
５      高さ調整部
６      保持板
７      断熱キャップ
２１    パネル本体
２２    枠材
２３    操作孔
２４    孔
２５    切り欠き
２６    補強材
【図１】
2015168983.tif 000003
【図２】
2015168983.tif 000004
【図３】
2015168983.tif 000005
【図４】
2015168983.tif 000006
【図５】
2015168983.tif 000007
【図６】
2015168983.tif 000008
【図７】
2015168983.tif 000009
【図８】
2015168983.tif 000010
【図９】
2015168983.tif 000011
【図１０】
2015168983.tif 000012
【図１１】
2015168983.tif 000013
【図１２】
2015168983.tif 000014
【図１３】
2015168983.tif 000015
【図１４】
2015168983.tif 000016
【図１５】
2015168983.tif 000017
【図１６】
2015168983.tif 000018
【図１７】
2015168983.tif 000019
【図１８】
2015168983.tif 000020
【図１９】
2015168983.tif 000021